(57)【要約】   書き心地の良いスタイラスペンを提供する。   誘電性のペン本体２と、ペン本体２の両端に固定された導電性のペン先部材３、５と、を有する。ペン先部材３は、タッチパネルと接触する接触面を有する。当該接触面は、複数の接触領域からなり、タッチパネルに対するペン先部材３の角度を変えると、その角度によって異なる接触領域がタッチパネルと接触する。2つのペン先部材３、５を使い分けることで、書き心地や入力する線の太さを変えることができる。
2012153710.tif 000002
【特許請求の範囲】
【請求項１】
両端を有する誘電性のペン本体と、
当該ペン本体の少なくとも一方の端に固定された導電性のペン先部材と、を有する静電容量式タッチパネル用スタイラスペンであって、
前記ペン先部材は、
タッチパネルと接触する接触面を有し、
前記接触面は、
複数の接触領域からなり、
タッチパネルに対するペン先部材の角度を変えると、その角度によって異なる接触領域がタッチパネルと接触するようになっている、静電容量式タッチパネル用スタイラスペン。
【請求項２】
前記ペン本体は、木材、竹材、石材又はプラスチックでできている、請求項１の静電容量式タッチパネル用スタイラスペン。
【請求項３】
前記ペン先部材は、金属又はプラスチックでできている、請求項１の静電容量式タッチパネル用スタイラスペン。
【請求項４】
その使用時にその使用者の人差し指の指先が触れる位置まで前記ペン先部材の基端部が延在している、請求項１の静電容量式タッチパネル用スタイラスペン。
【請求項５】
前記ペン本体には、前記ペン先部材の基端部を露出させるべくスリットが形成されている、請求項４の静電容量式タッチパネル用スタイラスペン。
【請求項６】
前記ペン先部材の基端部は、前記ペン本体の端部に埋設され、
前記ペン本体の端部には、前記ペン先部材の抜けを防止するべく固定軸が設けられ、
当該固定軸は、前記ペン本体の端部の左右の側面に露出している、請求項１乃至５の何れかの静電容量式タッチパネル用スタイラスペン。
【請求項７】
前記ペン本体の端部、前記ペン先部材及び前記固定軸からなる部分の形態が、カモノハシの頭、くちばし及び目を想起させる、請求項６の静電容量式タッチパネル用スタイラスペン。
【請求項８】
前記ペン本体は、カモノハシの頭から胴にかけての部分を想起させる、請求項７の静電容量式タッチパネル用スタイラスペン。
【請求項９】
前記ペン本体の両端に前記ペン先部材が固定されている、請求項７の静電容量式タッチパネル用スタイラスペン。
【請求項１０】
前記ペン本体の一方の端部、当該一方の端部に固定された前記ペン先部材及び前記固定軸からなる部分の形態が、カモノハシの頭、くちばし及び目を想起させる、請求項９の静電容量式タッチパネル用スタイラスペン。
【請求項１１】
前記ペン本体は、上方に凸に湾曲している、請求項８又は１０の静電容量式タッチパネル用スタイラスペン。
【発明の詳細な説明】
【技術分野】
【０００１】
本発明は、コンピュータをタッチインタフェースにより操作するための入力装置に関し、より具体的には、静電容量式タッチパネル用スタイラスペン（以下、単に「スタイラスペン」と記す。）に関する。
【背景技術】
【０００２】
従来、スタイラスペンは、そのペン先にゴムやスポンジを使用していた。【０００３】
ゴム製のペン先を使用した従来のスタイラスペンは、静電容量方式タッチパネル（以下、単に「タッチパネル」と記す。）とそのペン先との間に強い摩擦力が働くため、ペン先が滑りにくく、一般的な万年筆やボールペンと比較して書き心地が可成り劣っていた。【０００４】
スポンジ製のペン先を使用した従来のスタイラスペンは、タッチパネルに対するペン先の滑りは良いが、ペン先の耐久性が低いため、短期間の使用でペン先が劣化するという欠点がある。また、書き心地も一般的な万年筆やボールペンと比較して劣る。【０００５】
また、従来のスタイラスペンとして、円筒をその軸を横切るように切断した形状のゴム製のペン先を有するものもあるが、この種のスタイラスペンは、ペン先の端面（切断面）全体をタッチパネルに接触させて使用する必要があるため、非常に書き辛い。
【先行技術文献】
【特許文献】
【０００６】
【特許文献１】特開２０１２−５３６８１号公報
【特許文献２】特開２０１２−４８４３７号公報
【発明の概要】
【発明が解決しようとする課題】
【０００７】
本発明が解決すべき課題は、書き心地の良いスタイラスペンを提供することにある。
【課題を解決するための手段】
【０００８】
本発明のスタイラスペンは、両端を有する誘電性のペン本体と、当該ペン本体の少なくとも一方の端に固定された導電性のペン先部材と、を有する。
前記ペン先部材は、タッチパネルと接触する接触面を有する。
前記接触面は、複数の接触領域からなる。
そして、タッチパネルに対するペン先部材の角度を変えると、その角度によって異なる接触領域がタッチパネルと接触するようになっている。【０００９】
前記接触面の相隣接する接触領域は、稜線で区画されていることが望ましい。各接触領域は平坦な面であるよりも、少し丸みを帯びていることが望ましい。【００１０】
前記ペン本体は、木材、竹材、石材又はプラスチックでできている。【００１１】
前記ペン先部材は、金属又はプラスチックでできている。【００１２】
前記ペン先部材の基端部は、スタイラスペンの使用時にその使用者の人差し指の指先が触れる位置まで延在していることが望ましい。この場合、前記ペン本体には、前記ペン先部材の基端部を露出させるべくスリットが形成される。【００１３】
前記ペン先部材の基端部は、前記ペン本体の端部に埋設され、前記ペン本体の端部には、前記ペン先部材の抜けを防止するべく固定軸が設けられ、当該固定軸は、前記ペン本体の端部の左右の側面に露出していることが望ましい。そして、前記ペン本体の端部、前記ペン先部材及び前記固定軸からなる部分の形態が、カモノハシの頭、くちばし及び目を想起させることが望ましい。前記ペン本体は、カモノハシの頭から胴にかけての部分を想起させることが望ましい。【００１４】
また、本発明のスタイラスペンは、前記ペン本体の両端に前記ペン先部材が固定されていることが望ましい。そして、前記ペン本体の一方の端部、当該一方の端部に固定された前記ペン先部材及び前記固定軸からなる部分の形態が、カモノハシの頭、くちばし及び目を想起させることが望ましい。【００１５】
また、本発明のスタイラスペンにおいて、前記ペン本体は、上方に凸に湾曲していることが望ましい。ここで「上方」とは、スタイラスペンの使用時に上に向く側のことである。【００１６】
なお、カモノハシ（Ornithorhynchus anatinus）は、哺乳綱単孔目カモノハシ科カモノハシ属に分類される哺乳類である。現生種では本種のみでカモノハシ科カモノハシ属を形成する。英語の一般名である“platypus”はギリシア語で「平たい」を意味する“πλατ??”と、「足」を意味する“που?”からなるラテン語で、「扁平な足」を意味する
。名前の通りカモのように幅が広く、ゴムのような弾性のあるくちばしを持ち、外見上の大きな特徴の一つとなっている。このくちばしには鋭敏な神経が通っていて、獲物の生体電流を感知することができる。
【発明の効果】
【００１７】
本発明によれば、タッチパネルに対するペン先の滑りを向上させて書き心地の良いスタイラスペンを実現することができる。また、ペン先部材に金、銅、真鍮などを使用し、ペン本体に木材、竹材などを使用することにより、高級感があり、使用する程に使用者の手に馴染むスタイラスペンを実現することができる。また、スタイラスペンの外観をカモノハシを想起させる外観とすることで、スタイラスペンに対する使用者の愛着を増大させることができる。
【図面の簡単な説明】
【００１８】
【図１】本発明のスタイラスペンの実施形態の一例を示す全体斜視図
【図２】図１に示すスタイラスペンの要部斜視図
【図３】図１に示すスタイラスペンの要部側面図及びその部分拡大図
【図４】図１に示すスタイラスペンの要部側面図及びその部分拡大図
【図５】図１に示すスタイラスペンの要部側面図及びその部分拡大図
【図６】本発明のスタイラスペンの実施形態の一例を示す側面図
【図７】本発明のスタイラスペンの実施形態の一例を示す平面図
【図８】本発明のスタイラスペンの実施形態の一例を示す下面図
【図９】本発明のスタイラスペンの実施形態の一例を示す正面図
【図１０】本発明のスタイラスペンの実施形態の一例を示す背面図
【図１１】本発明のスタイラスペンの実施形態の一例を示す斜視図
【図１２】本発明のスタイラスペンの実施形態の一例を示す斜視図
【発明を実施するための最良の形態】
【００１９】
以下、本発明の実施形態について説明する。【００２０】
図１に示すように、スタイラスペン１は、両端を有する誘電性のペン本体２と、ペン本体２の一方の端に固定された導電性のペン先部材３と、を有する。ペン本体２は、木材でできている。ペン先部材３は、金属でできている。図２に示すように、ペン先部材３は、タッチパネルの表面Ｐと接触するペン先面を有する。ペン先面は、相隣接する２つの接触領域３Ａ、３Ｂからなる。接触領域３Ａ、３Ｂは、稜線（境界線）３Ｃで区画されている。タッチパネルの表面Ｐに対するペン先部材３の角度を変えることにより、２つの接触領域３Ａ、３Ｂの一方をタッチパネルＰに接触させることができる。【００２１】
ペン先部材３には、金、銅、真鍮などが使用される。ペン先部材３の基端部は、ペン本体２の端部に埋設されている。ペン本体２の端部には、ペン先部材３の抜けを防止するべく、固定軸６が設けられている。固定軸６は、ペン先部材３と同じ金属でできている。固定軸６は、ペン本体２の端部の左右の側面に露出している。ペン本体２の端部、ペン先部材３及び固定軸６からなる部分の形態が、カモノハシの頭、くちばし及び目を想起させる。ペン本体２は、カモノハシの頭から胴にかけての部分を想起させる。【００２２】
ペン先部材３の基端部は、スタイラスペン１の使用時にその使用者の人差し指の指先が触れる位置まで延在している。ペン本体２には、ペン先部材３の基端部の一部（人体導通部）４を露出させるべくスリットが形成される。ペン先部材３がタッチパネルＰに接触している状態で人体導通部４に使用者の指が触れると、使用者の体とタッチパネルＰとが電気的に導通するため、ペン先部材３が接触している部分から電荷が放電する。タッチパネルは、その電荷を検出することで、ペン先部材３が触れた位置（タッチ位置）の検出を行う。【００２３】
図２乃至図５に示すように、両接触領域３Ａ、３Ｂは、いずれも平坦ではなく、ペン先部材３の前後方向に曲率を有して若干湾曲しているため、タッチパネルＰに対するペン先部材３の角度（傾き、姿勢）に応じて、それぞれの接触領域３Ａ、３Ｂの更に一部の領域がタッチパネルＰに接触することになる。【００２４】
図３乃至図５中に示すそれぞれの領域について以下に説明する。【００２５】
G：タッチパネルＰに接触せず、放電が起こらない領域
H：タッチパネルＰに接触していないが、放電が起こる領域
I：タッチパネルＰに接触している領域
J：タッチパネルＰに接触していないが、放電が起こる領域
K：タッチパネルＰに接触せず、放電が起こらない領域
L：タッチパネルＰに接触せず、放電が起こらない領域
M：タッチパネルＰに接触していないが、放電が起こる領域
N：タッチパネルＰに接触している領域
O：タッチパネルＰに接触していないが、放電が起こる領域
P：タッチパネルＰに接触せず、放電が起こらない領域
Q：タッチパネルＰに接触せず、放電が起こらない領域
R：タッチパネルＰに接触している領域
S：タッチパネルＰに接触していないが、放電が起こる領域
T：タッチパネルＰに接触せず、放電が起こらない領域【００２６】
このスタイラスペン１は、ペン本体２の他端にも導電性のペン先部材５が固定されている。この第２のペン先部材５は、第１のペン先部材３とは異なる角度でペン先面がカットされているので2つのペン先部材３、５を使い分けることで、書き心地や入力範囲（線の
太さ）を変えることができる。【００２７】
なお、このスタイラスペン１は、タッチパネル保護用シートとともに提供することが望ましい。ペン先部材３との摩擦係数が各々異なる複数種類のタッチパネル保護用シートを用意しておけば、タッチパネル保護用シートの種類によって、ペン先部材３の滑り具合（書き心地）を選択することが可能となる。【００２８】
また、ペン先部材３のタッチパネルＰと接触する部分を塩化ビニール等の薄い保護膜で被覆することで、タッチパネルＰを傷つけないようにしてもよい。【００２９】
また、ペン先部材３は、無垢からの削り出しのものや、軽量化やコスト削減の為に空洞になっているもの、また木やプラスチック、革などに金属箔を施したものでもよい。ペン先部材３に金属箔を施したものは、箔が剥がれないように塩化ビニール等の薄い保護膜で被覆しておくことが望ましい。ペン先部材３を塩化ビニールなどの保護膜で覆う場合、その弾性膜自体に電気を通しやすい金属を含有させることで、保護膜を厚くしてもタッチパネルＰの感度を鈍らせることなく、且つクッション性を高めることができる。
【符号の説明】
【００３０】
１  スタイラスペン
２  ペン本体
３  第１のペン先部材
３A  接触領域
３Ｂ  接触領域
３C  稜線
４  人体導通部
５  第２のペン先部材
Ｐ  タッチパネル
【図１】
2012153710.tif 000003
【図２】
2012153710.tif 000004
【図３】
2012153710.tif 000005
【図４】
2012153710.tif 000006
【図５】
2012153710.tif 000007
【図６】
2012153710.tif 000008
【図７】
2012153710.tif 000009
【図８】
2012153710.tif 000010
【図９】
2012153710.tif 000011
【図１０】
2012153710.tif 000012
【図１１】
2012153710.tif 000013
【図１２】
2012153710.tif 000014
【国際調査報告】
2012153710.tif 000015
2012153710.tif 000016
2012153710.tif 000017
2012153710.tif 000018